(57)【特許請求の範囲】
【請求項１】
前面に液晶表示画面が設けられた携帯情報端末を収納するケースであって、
収納板を有し、
収納板には携帯情報端末を収納する収納部が設けられ、
収納板は、略矩形状に形成され、携帯情報端末を収納する面と反対側の面に手を差し込むことができる差込部材が設けられており、
差込部材は、伸縮可能な素材によって略Ｖ字状に形成され、収納板の対向する長辺と一方の短辺の略中央に固定され、収納板の角部側から手を差し込んでケースを保持できることを特徴とする携帯情報端末用ケース。
【請求項２】
前面に液晶表示画面が設けられた携帯情報端末を収納するケースであって、
収納板を有し、
収納板には携帯情報端末を収納する収納部が設けられ、
収納板は、略矩形状に形成され、携帯情報端末を収納する面と反対側の面に手を差し込むことができる差込部材が設けられており、
差込部材は、伸縮可能な素材によって略十字状又は略菱形状に形成され、収納板の対向する長辺の略中央と対向する短辺の略中央に固定され、収納板の角部側から手を差し込んでケースを保持できることを特徴とする携帯情報端末用ケース。
【発明の詳細な説明】
【技術分野】
【０００１】
本発明は、前面に液晶画面を備えた携帯情報端末を収納することができる携帯情報端末用ケースに関する。
【背景技術】
【０００２】
従来、携帯情報端末用ケースは、前面に液晶表示画面が設けられた携帯情報端末を収納するケースであって、折曲部を介して連接された第１の収納板と第２の収納板とで形成されている。第１の収納板及び第２の収納板には携帯情報端末を収納する収納部が設けられている。第１の収納板及び第２の収納板には、折曲部を略中心にして内側に折り畳んだ状態で固定できる固定手段が設けられている（例えば、特許文献１）。
【先行技術文献】
【特許文献】
【０００３】
【特許文献１】実用新案登録第３１４３８８１号公報
【発明の概要】
【発明が解決しようとする課題】
【０００４】
上記した従来の携帯情報端末用ケースは、第１の収納板及び／又は第２の収納板の収納部に携帯情報端末を収納し、折曲部を略中心にして、第１の収納板及び第２の収納板を、内側に折り畳み、この折り畳んだ状態で固定手段により固定することができる。従来の携帯情報端末用ケースは、第１の収納板及び第２の収納板を折り畳んだ状態で固定手段により固定し、持ち運ぶことができる。また、従来の携帯情報端末用ケースは、固定手段の固定を解除して、第１の収納板及び第２の収納板を展開し、収納部に収納した携帯情報端末を操作することができる。従来の携帯情報端末用ケースは、一方の手の平に載せ、他方の手で操作する場合、一方の手の平上で動いてしまうので、不安定な作業となり、操作がし難いという問題点があった。そのため、結局机等の平坦な場所において操作することになり、利便性に欠けるという問題点があった。
【０００５】
本願発明は、上記問題点に鑑み案出したものであって、一方の手を携帯情報端末用ケースに固定させて、携帯情報端末用ケースを一方の手で安定且つ確実に保持することができ、そのため、他方の手で携帯情報端末を容易に操作することができる携帯情報端末用ケースを提供することを目的とする。
【課題を解決するための手段】
【０００６】
本願請求項１記載の携帯情報端末用ケースは、上記目的を達成するため、前面に液晶表示画面が設けられた携帯情報端末を収納するケースであって、収納板を有し、収納板には携帯情報端末を収納する収納部が設けられ、収納板は、略矩形状に形成され、携帯情報端末を収納する面と反対側の面に手を差し込むことができる差込部材が設けられており、差込部材は、伸縮可能な素材によって略Ｖ字状に形成され、収納板の対向する長辺と一方の短辺の略中央に固定され、収納板の角部側から手を差し込んでケースを保持できることを特徴とする。
【０００７】
本願請求項２記載の携帯情報端末用ケースは、上記目的を達成するため、前面に液晶表示画面が設けられた携帯情報端末を収納するケースであって、収納板を有し、収納板には携帯情報端末を収納する収納部が設けられ、収納板は、略矩形状に形成され、携帯情報端末を収納する面と反対側の面に手を差し込むことができる差込部材が設けられており、差込部材は、伸縮可能な素材によって略十字状又は略菱形状に形成され、収納板の対向する長辺の略中央と対向する短辺の略中央に固定され、収納板の角部側から手を差し込んでケースを保持できることを特徴とする。
【発明の効果】
【０００８】
本願発明に係る携帯情報端末用ケースは、携帯情報端末を収納部に収納した収納板と被覆板を、折曲部を略中心にして携帯情報端末と差込部材を内側に収納するように内側に折り畳み、この折り畳んだ状態を固定手段により固定し、持ち運ぶことができる。また、収納板と被覆板を、折曲部を略中心にして携帯情報端末と差込部材を外側に表出するように外側に折り畳み、この折り畳んだ状態で固定手段により固定して、携帯情報端末を操作することができる。被覆板には手を差し込むことができる差込部材が設けられているので、手を被覆板と差込部材の間に差し込むと、差し込んだ手を携帯情報端末用ケースに固定することができる。本願発明に係る携帯情報端末用ケースは、一方の手を被覆板と差込部材の間に差し込んで携帯情報端末用ケースに固定させて、携帯情報端末用ケースを一方の手で安定且つ確実に保持することができ、そのため、他方の手で携帯情報端末を容易に操作することができるという効果がある。
【０００９】
本願発明に係る携帯情報端末用ケースは、差込部材が、伸縮可能な素材によって略Ｖ字状に形成され、被覆板の対向する長辺と一方の短辺の略中央に固定され、被覆板の角部側から手を差し込んでケースを保持できるので、手を差し込んでケースを保持した際、肘から肩までの上腕部を体に密着させることができ、疲労感が少なく、また携帯情報端末用ケースを動かすことなく安定した状態で保持することができるという効果がある。
【００１０】
本願発明に係る携帯情報端末用ケースは、差込部材が、伸縮可能な素材によって略十字状又は略菱形状に形成され、被覆板の対向する長辺の略中央と対向する短辺の略中央に固定され、被覆板の角部側から手を差し込んでケースを保持できるので、手を差し込んでケースを保持した際、肘から肩までの上腕部を体に密着させることができ、疲労感が少なく、また携帯情報端末用ケースを動かすことなく安定した状態で保持することができるという効果がある。
【００１１】
本願発明に係る携帯情報端末用ケースは、前記被覆板に、一端が被覆板に接続された立設板と、立設板の他端を被覆板に接触した状態と離間した状態で保持することができる保持部材とが設けられ、前記立設板に、前記差込部材が設けられるようにしても良い。本願発明に係る携帯情報端末用ケースは、携帯情報端末と差込部材を外側に表出するように外側に折り畳んだ状態で固定手段により固定してから、保持部材により、立設板の他端を被覆板と離間した状態で保持させ、被覆板と立設板の下端を机等の平板上に接地させると、収納板を傾斜させて立たせることができ、収納板に取り付けられた携帯情報端末を真正面から見ることができ、液晶画面を見易くすることができるという効果がある。また、本願発明に係る携帯情報端末用ケースは、携帯情報端末と差込部材を外側に表出するように外側に折り畳んだ状態で固定手段により固定してから、保持部材により、立設板の他端を被覆板に接触させた状態で保持させると平板状となり、手を立設板と差込部材の間に差し込むと、差し込んだ手を携帯情報端末用ケースに固定することができる。本願発明に係る携帯情報端末用ケースは、一方の手を立設板と差込部材の間に差し込んで携帯情報端末用ケースに固定させて、携帯情報端末用ケースを一方の手で安定且つ確実に保持することができ、そのため、他方の手で携帯情報端末を容易に操作することができるという効果がある。
【００１２】
本願発明に係る携帯情報端末用ケースは、前面に液晶表示画面が設けられた携帯情報端末を収納するケースであって、収納板を有し、収納板には携帯情報端末を収納する収納部が設けられ、収納板は、略矩形状に形成され、携帯情報端末を収納する面と反対側の面に手を差し込むことができる差込部材が設けられている。本願発明に係る携帯情報端末用ケースは、収納板に手を差し込むことができる差込部材が設けられているので、手を収納板と差込部材の間に差し込むと、差し込んだ手を携帯情報端末用ケースに固定することができる。本願発明に係る携帯情報端末用ケースは、一方の手を収納板と差込部材の間に差し込んで携帯情報端末用ケースに固定させて、携帯情報端末用ケースを一方の手で安定且つ確実に保持することができ、そのため、他方の手で携帯情報端末を容易に操作することができるという効果がある。
【００１３】
本願発明に係る携帯情報端末用ケースは、差込部材は、伸縮可能な素材によって略Ｖ字状に形成され、収納板の対向する長辺の略中央と一方の短辺の略中央に固定され、収納板の角部側から手を差し込んでケースを保持できるので、手を差し込んでケースを保持した際、肘から肩までの上腕部を体に密着させることができ、疲労感が少なく、また携帯情報端末用ケースを動かすことなく安定した状態で保持することができるという効果がある。
【００１４】
本願発明に係る携帯情報端末用ケースは、差込部材は、伸縮可能な素材によって略十字状又は略菱形状に形成され、収納板の対向する長辺の略中央と対向する短辺の略中央に固定され、収納板の角部側から手を差し込んでケースを保持できるので、手を差し込んでケースを保持した際、肘から肩までの上腕部（脇）を体に密着させることができ、疲労感が少なく、また携帯情報端末用ケースを動かすことなく安定した状態で保持することができるという効果がある
【図面の簡単な説明】
【００１５】
【図１】本願発明に係る携帯情報端末用ケースの一つの実施の形態を示す展開斜視図である。
【図２】図１の携帯情報端末用ケースの内側折曲時の斜視図である。
【図３】図１の携帯情報端末用ケースの外側折曲時の一方から視た斜視図である。
【図４】図１の携帯情報端末用ケースの外側折曲時の他方から視た斜視図である。
【図５】図１の携帯情報端末用ケースの立設板を説明する斜視図である。
【図６】図１の携帯情報端末用ケースを立たせた状態を説明する斜視図である。
【図７】図１の携帯情報端末用ケースの保持状態を説明する斜視図である。
【図８】図１の携帯情報端末用ケースの展開斜視図である。
【図９】図８の携帯情報端末用ケースの内側折曲時の斜視図である。
【図１０】図８の携帯情報端末用ケースの外側折曲時の一方から視た斜視図である。
【図１１】図８の携帯情報端末用ケースの外側折曲時の他方から視た斜視図である。
【図１２】図８の携帯情報端末用ケースを立たせた状態を説明する斜視図である。
【図１３】本願発明に係る携帯情報端末用ケースの他の実施の形態を示す上から視た斜視図である。
【図１４】図１３の携帯情報端末用ケースの下から視た斜視図である。
【図１５】図１３の携帯情報端末用ケースの保持状態を説明する斜視図である。
【図１６】図１３の携帯情報端末用ケースの他の保持状態を説明する斜視図である。
【図１７】図１３の携帯情報端末用ケースの上から視た斜視図である。
【図１８】図１７の携帯情報端末用ケースの下から視た斜視図である。
【発明を実施するための形態】
【００１６】
携帯情報端末用ケース１は、図１に示すように、前面に液晶表示画面Ｂが設けられた携帯情報端末Ａ（図１３参照）を収納するケースである。携帯情報端末用ケース１は、折曲部２を介して連接された収納板３と被覆板１０とを有する。収納板３には携帯情報端末Ａを収納する収納部４が設けられている。被覆板１０には手を差し込むことができる差込部材２１が設けられている。収納板３及び被覆板１０には、折曲部２を略中心にして携帯情報端末Ａと差込部材２１を内側に収納するように内側に折り畳んだ状態（図２参照）と、折曲部２を略中心にして携帯情報端末Ａと差込部材２１を外側に表出するように外側に折り畳んだ状態（図３参照）とで固定できる固定手段３１が設けられている。
【００１７】
携帯情報端末用ケース１は、図２に示すように、携帯情報端末Ａを収納部４に収納した収納板３と被覆板１０を、折曲部２を略中心にして携帯情報端末Ａと差込部材２１を内側に収納するように内側に折り畳み、この折り畳んだ状態を固定手段３１により固定し、持ち運ぶことができる。また、収納板３と被覆板１０を、図３，４に示すように、折曲部２を略中心にして携帯情報端末Ａと差込部材２１を外側に表出するように外側に折り畳み、この折り畳んだ状態で固定手段３１により固定して、携帯情報端末Ａを操作することができる。被覆板１０には手を差し込むことができる差込部材２１が設けられているので、手を被覆板１０と差込部材２１の間に差し込むと、差し込んだ手を携帯情報端末用ケース１に固定することができる。携帯情報端末用ケース１は、一方の手を被覆板１０と差込部材２１の間に差し込んで携帯情報端末用ケース１に固定させて、携帯情報端末用ケース１を一方の手で安定且つ確実に保持することができ、そのため、他方の手で携帯情報端末Ａを容易に操作することができる。
【００１８】
携帯情報端末用ケース１は、差込部材２１が、伸縮可能な素材によって略Ｖ字状に形成され、被覆板１０の対向する長辺１０ｃ，１０ｄと一方の短辺１０ｅの略中央に固定され、被覆板１０の角部１０ｇ，１０ｈ側から手を差し込んでケース１を保持できる。携帯情報端末用ケース１は、手を差し込んでケース１を保持した際、肘から肩までの上腕部を体に密着させることができ、疲労感が少なく、また携帯情報端末用ケース１を動かすことなく安定した状態で保持することができる。
【００１９】
携帯情報端末用ケース１は、差込部材２１が、伸縮可能な素材によって略十字状又は略菱形状に形成され、被覆板１０の対向する長辺１０ｃ，１０ｄの略中央と対向する短辺１０ｅ，１０ｆの略中央に固定され、被覆板１０の角部１０ｇ，１０ｈ側から手を差し込んでケース１を保持できるようにしてもよい（図１４参照）。携帯情報端末用ケース１は、手を差し込んでケースを保持した際、肘から肩までの上腕部を体に密着させることができ、疲労感が少なく、また携帯情報端末用ケース１を動かすことなく安定した状態で保持することができる。
【００２０】
携帯情報端末用ケース１は、図５に示すように、前記被覆板１０に、一端１１ｃが被覆板１０に接続された立設板１１と、立設板１１の他端１１ｄを被覆板１０に接触した状態と離間した状態で保持することができる保持部材１２とが設けられ、前記立設板１１に、前記差込部材２１が設けられるようにしても良い。図４に示すように、前記差込部材２１は、伸縮可能な素材によって略Ｖ字状に形成され、立設板１１の対向する長辺１５，１６と一方の短辺１７の略中央に固定され、立設板１１の角部１７ａ，１７ｂ側から手を差し込んでケース１を保持することができる。なお、差込部材２１は、伸縮可能な素材によって略十字状又は略菱形状に形成され、立設板１１の対向する長辺１５，１６の略中央と対向する短辺１７，１８の略中央に固定され、立設板１１の角部１７ａ，１７ｂ側から手を差し込んでケース１を保持できるようにしても構わない（図１４参照）。
【００２１】
携帯情報端末用ケース１は、携帯情報端末Ａと差込部材２１を外側に表出するように外側に折り畳んだ状態で固定手段３１により固定してから、保持部材１２により、立設板１１の他端１１ｄを被覆板１０と離間した状態で保持させ、被覆板１０と立設板１１の下端を机等の平板上に接地させると、図６に示すように、収納板３を傾斜させて立たせることができ、収納板３に取り付けられた携帯情報端末Ａを真正面から見ることができ、液晶表示画面Ｂを見易くすることができる。また、携帯情報端末用ケース１は、携帯情報端末Ａと差込部材２１を外側に表出するように外側に折り畳んだ状態で固定手段３１により固定してから、保持部材１２により、立設板１１の他端１１ｄを被覆板１０に接触させた状態で保持させると平板状となり、図７に示すように、手を立設板１１と差込部材２１の間に差し込むと、差し込んだ手を携帯情報端末用ケース１に固定することができる。携帯情報端末用ケース１は、一方の手を立設板１１と差込部材２１の間に差し込んで携帯情報端末用ケース１に固定させて、携帯情報端末用ケース１を一方の手で安定且つ確実に保持することができ、そのため、他方の手で携帯情報端末Ａを容易に操作することができる。
【００２２】
携帯情報端末用ケース１は、差込部材２１が、伸縮可能な素材によって略Ｖ字状に形成され、立設板１１の対向する長辺１５，１６と一方の短辺１７の略中央に固定され、立設板１１の角部１７ａ，１７ｂ側から手を差し込んでケース１を保持できる。携帯情報端末用ケース１は、手を差し込んでケース１を保持した際、肘から肩までの上腕部を体に密着させることができ、疲労感が少なく、また携帯情報端末用ケース１を動かすことなく安定した状態で保持することができる。
【００２３】
携帯情報端末用ケース１は、差込部材２１が、伸縮可能な素材によって略十字状又は略菱形状に形成され、立設板１１の対向する長辺１５，１６の略中央と対向する短辺１７，１８の略中央に固定され、立設板１１の角部１７ａ，１７ｂ側から手を差し込んでケース１を保持できるようにしてもよい（図１４参照）。携帯情報端末用ケース１は、手を差し込んでケース１を保持した際、肘から肩までの上腕部を体に密着させることができ、疲労感が少なく、また携帯情報端末用ケース１を動かすことなく安定した状態で保持することができる。
【００２４】
携帯情報端末用ケース４１は、図１３乃至図１５に示すように、前面に液晶表示画面Ｂが設けられた携帯情報端末Ａを収納するケースである。携帯情報端末用ケース４１は、収納板４２を有する。収納板４２には携帯情報端末Ａを収納する収納部４７が設けられている。収納板４２は、略矩形状に形成され、携帯情報端末Ａを収納する面４６と反対側の面４８に手を差し込むことができる差込部材６１が設けられている。携帯情報端末用ケース４１は、収納板４２に手を差し込むことができる差込部材６１が設けられているので、手を収納板４２と差込部材６１の間に差し込むと、差し込んだ手を携帯情報端末用ケース４１に固定することができる。携帯情報端末用ケース４１は、一方の手を収納板４２と差込部材６１の間に差し込んで携帯情報端末用ケース４１に固定させて、携帯情報端末用ケース４１を一方の手で安定且つ確実に保持することができ、そのため、他方の手で携帯情報端末Ａを容易に操作することができる。
【００２５】
携帯情報端末用ケース４１の差込部材６１は、伸縮可能な素材によって略十字状又は略菱形状に形成され、収納板４２の対向する長辺５１，５２の略中央と対向する短辺５５，５６の略中央に固定され、収納板４２の角部５５ａ，５５ｂ側から手を差し込んでケース４１を保持できる。携帯情報端末用ケース４１は、手を差し込んでケース４１を保持した際、肘から肩までの上腕部を体に密着させることができ、疲労感が少なく、また携帯情報端末用ケース４１を動かすことなく安定した状態で保持することができる。
【００２６】
なお、携帯情報端末用ケース４１の差込部材６１は、伸縮可能な素材によって略Ｖ字状に形成され、収納板４２の対向する長辺５１，５２と一方の短辺５５，５６の略中央に固定され、収納板４２の角部５５ａ，５５ｂ側から手を差し込んでケース４１を保持できるようにしても構わない。携帯情報端末用ケース４１は、疲労感が少なく、また携帯情報端末用ケース４１を動かすことなく安定した状態で保持することができる。
【００２７】
さらに、携帯情報端末用ケースの第１の形態を、図１乃至図１２に基づいて詳細に説明する。携帯情報端末用ケース１は、前面に液晶表示画面Ｂが設けられた携帯情報端末Ａ（図１３参照）を収納するケースである。携帯情報端末Ａは、操作キーを必要としない、電子書籍等のいわゆるタッチパネル式電子機器で、厚みの薄い矩形板状に形成されている。図１、８に示すように、携帯情報端末用ケース１は、布、皮革、ポリエステル等によって形成され、折曲部２を介して連接された収納板３と被覆板１０とからなる。収納板３は左側に配置され、被覆板１０は右側に配置されている。
【００２８】
収納板３の内側面３ａには携帯情報端末Ａを収納する収納部４が設けられている。収納部４は、携帯情報端末Ａの前面周縁を係止する矩形枠５と、携帯情報端末Ａの上端を係止する上板６と、携帯情報端末Ａの下端を係止する下板７と、携帯情報端末Ａの左端を係止する左板８とで構成され、右開放部９から携帯情報端末Ａを収納する。なお、矩形枠５は、液晶表示画面Ｂを遮ることがないように形成されている。
【００２９】
前記被覆板１０の内側面１０ａには、一端部（上部）１１ｃが被覆板１０の上部に縫製等により接続された立設板１１が設けられている。また、図５に示すように、被覆板１０の内側面１０ａには、他端部（下部）１２ｂが被覆板１０の下部に縫製等により接続された保持板（保持部材）１２が設けられている。立設板１１は、布、皮革、ポリエステル等によって、略矩形板状に形成されている。保持板（保持部材）１２は、布、皮革、ポリエステル等によって、細長板状に形成されている。前記（保持部材）１２と立設板１１は、重ねられた状態で、被覆板１０の内側面１０ａに当接する。
【００３０】
立設板１１の裏面１１ｂ下部には、面ファスナー、止め金具等の係脱部材１３の一方１３ａが取り付けられている。また、保持板（保持部材）１２の表面１２ａの下部及び上部には、前記係脱部材１３の他方１３ｂ，１３ｃが取り付けられている。前記立設板１１と保持板（保持部材）１２が重ねられた状態の時には、立設板１１の係脱部材１３の一方１３ａと保持板（保持部材）１２の下部に設けられた係脱部材１３の他方１３ｂが係脱可能に係合し、立設板１１の他端部（下部）１１ｄを被覆板１０に接触した状態で保持することができる。また、前記立設板１１の他端部（下部）１１ｄを被覆板１０から離間させた状態の時には、立設板１１の係脱部材１３の一方１３ａを、被覆板１０から離間させた保持板（保持部材）１２の上部に設けられた係脱部材１３の他方１３ｃに係脱可能に係合させ、立設板１１の他端部（下部）１１ｄを被覆板１０から離間した状態で保持することができる。
【００３１】
前記立設板１１の表面１１ａには、図４に示すように、手を差し込むことができる差込部材２１が設けられている。差込部材２１は、伸縮可能な素材によって略Ｖ字状に形成され、立設板１１の対向する左辺（長辺）１５及び右辺（長辺）１６の略中央上部と下辺（短辺）１７の略中央部に縫製されて取り付けられ、立設板１１の下角部１７ａ，１７ｂ側から手を斜めに差し込むことができる。即ち、差込部材２１は、矩形部２２とＶ字状部２３とからなる差込布体２５と、Ｖ字状部２３の傾斜縁２６，２７に沿って縫製される略Ｖ字状のゴム部材２９とからなる。差込布体２５は、メッシュ素材で形成されている。差込部材２１は、傾斜縁２６，２７を除く、差込布体２５の周縁と、Ｖ字状部２３の頂部２８が縫製されて取り付けられ、傾斜縁２６，２７のゴム部材２９と立設板１１の間から手を斜めに差し込むことができる。
【００３２】
携帯情報端末用ケース１は、収納板３及び被覆板１０を折り畳んだ状態で固定できる固定手段３１が設けられている。本実施の形態では、固定手段３１は、収納板３及び被覆板１０の周縁に形成されたスライドファスナー３１である。図２，９に示すように、携帯情報端末用ケース１は、スライダーを一方にスライドさせると、折曲部２を略中心にして携帯情報端末Ａと差込部材２１を内側に収納するように内側に折り畳んだ状態で固定できる。また、図１，８に示すように、携帯情報端末用ケース１は、スライダーを他方にスライドさせると、折曲部２を略中心にして展開させることができる。なお、図３，４に示すように、携帯情報端末用ケース１は、展開した状態から、折曲部２を略中心にして携帯情報端末Ａと差込部材２１を外側に表出するように外側に折り畳んだ状態で、スライダー３２を一方にスライドさせると、この状態で固定することができる。なお、固定手段３１は、スライドファスナーに限定されるものではなく、面ファスナー、ホック、ドットボタン等、種々変更可能である。
【００３３】
携帯情報端末用ケース１は、上記構成を有し、図２，９に示すように、折曲部２を略中心にして携帯情報端末Ａと差込部材２１を内側に収納するように内側に折り畳んだ状態で、固定手段３１により固定でき、持ち運びが便利である。また、図３，４、１０，１１に示すように、携帯情報端末用ケース１は、折曲部２を略中心にして携帯情報端末Ａと差込部材２１を外側に表出するように外側に折り畳んだ状態で、固定手段３１により固定することができる。この状態の時、図５に示すように、立設板１１の他端部（下部）１１ｄを被覆板１０から離間させ、立設板１１の係脱部材１３の一方１３ａを、保持板（保持部材）１２の上部に設けられた係脱部材１３の他方１３ｃに係脱可能に係合させると、立設板１１の他端部（下部）１１ｄが被覆板１０から離間した状態で保持される。図６，１２に示すように、携帯情報端末用ケース１は、被覆板１０の下部１０ｂと立設板１１の下部１１ｄを接地させることにより、携帯情報端末用ケース１を手で保持することなく、傾斜して立たせることができ、携帯情報端末Ａの液晶表示画面Ｂを見易くすることができる。
【００３４】
また、携帯情報端末用ケース１は、立設板１１と保持板（保持部材）１２を重ね、立設板１１の係脱部材１３の一方１３ａを保持板（保持部材）１２の下部に設けられた係脱部材１３の他方１３ｂに係脱可能に係合させておくと、図４に示すように、立設板１１の他端部（下部）を被覆板１０に接触した状態で保持させておくことができる。この状態の時、携帯情報端末用ケース１は、携帯情報端末Ａの背面側に差込部材２１が位置しており、図７に示すように、一方の手を立設板１１の下角部１７ａ，１７ｂ側から傾斜縁２６，２７を介して立設板１１と差込部材２１の間に斜めに差し込むことができる。この一方の手全体で携帯情報端末用ケース１を押さえることができ、携帯情報端末Ａを安定して保持することができる。差込部材２１に差し込んだ手は、ゴム部材２９によって携帯情報端末用ケース１に安定して固定される一方、差込布体２５がメッシュ素材で形成されているので、通風性が確保され、汗ばむことがない。
【００３５】
上記実施の形態では、差込部材２１を立設板１１に設けたが、被覆板１０に直接縫製して取り付けても良い。また、差込部材２１は、逆三角形状に形成したが、菱形に形成すると、携帯情報端末用ケース１を逆さまに保持する場合であっても、手を斜めに差し込むことができ、疲労感が少なく安定して保持することができる。
【００３６】
また、携帯情報端末用ケースの第２の形態を、図１３乃至図１８に基づいて詳細に説明する。携帯情報端末用ケース４１は、前面に液晶表示画面Ｂが設けられた携帯情報端末Ａを収納するケースである。図１３に示すように、携帯情報端末用ケース４１は、弾性を有する合成樹脂素材によって一体成形され、収納板４２と、収納板４２の長辺側端縁に形成された係止縁４３，４５とからなる。収納板４２は、略矩形状に形成され、裏面４８側に向かって突出するように僅かに湾曲しており、前記係止縁４３，４５が表面４６側に設けられている。携帯情報端末用ケース４１は、収納板４２と係止縁４３，４５によって収納部４７が形成され、当該収納部４７内に携帯情報端末Ａを着脱可能に収納することができる。前記係止縁４３，４５は、携帯情報端末Ａの両側縁を係止するので、携帯情報端末Ａを安定して収納することができる。
【００３７】
収納板４２は、携帯情報端末を収納する面（表面）４６と反対側の面（裏面）４８に手を差し込むことができる差込部材６１が設けられている。差込部材６１は、伸縮可能な素材によって略十字状又は略菱形状に形成され、収納板４２の対向する左辺（長辺）５１及び右辺（長辺）５２の略中央部と、下辺（短辺）５５及び上辺（短辺）５６の略中央部に縫製されて取り付けられ、収納板４２の下角部５５ａ、５５ｂ側及び上角部５６ａ，５６ｂ側から手を斜めに差し込むことができる。即ち、差込部材６１は、布、皮革、ゴム等の柔軟性素材によって形成されている。差込部材６１は、傾斜縁６２〜６５を除いた頂部６６〜６９が縫製、接着等により取り付けられ、傾斜縁６２〜６５と収納板４２の間から手を斜めに差し込むことができる。なお、差込部材６１は、メッシュ素材で形成され、周縁にゴム部材を縫製しても構わない。本実施の形態では、差込部材６１は、頂部６８，６９が係止縁４３，４５に縫製されて取り付けられているが、頂部６６，６７の如く、収納板４２に縫製しても構わない。
【００３８】
携帯情報端末用ケース４１は、上記構成を有し、収納板４２の収納部４７に携帯情報端末Ａを着脱可能に収納することができる。携帯情報端末用ケース４１は、携帯情報端末Ａの背面側に差込部材６１が位置しており、図１５に示すように、一方の手を下角部５５ａ、５５ｂ側又は上角部５６ａ，５６ｂ側から斜めに差し込むことができる。この一方の手全体で携帯情報端末用ケース４１を押さえることができ、携帯情報端末Ａを安定して保持することができる。差込部材６１に差し込んだ手は、携帯情報端末用ケース４１に安定して固定される。携帯情報端末用ケース４１は、手を差込部材６１に斜めに差し込むことができるので、肘から肩までの上腕部（脇）を体に密着させておくことができ、疲労感が少なく、また携帯情報端末用ケース４１を動かすことなく安定して保持することができる。上記実施の形態では、差込部材６１は、菱形に形成したが逆三角形状に形成したとしても、手を斜めに差し込むことができ、疲労感が少なく安定して携帯情報端末用ケース４１を保持することができる。
【００３９】
図１６に示すように、手を真横又は真下から差し込むことができる形状に差込部材７２を形成することができる。図１６（ａ）に示すように、当該差込部材７２は、手を真横から差し込むと、肘から肩までの上腕部（脇）が体から離れた状態で携帯情報端末用ケース７１を保持することになるので、すぐに疲れてしまうと共に、携帯情報端末用ケース７１を動かしてしまい、携帯情報端末用ケース７１を安定して保持することができない。また、図１６（ｂ）に示すように、差込部材７２は、手を真下から差し込むと、携帯情報端末Ａが顔の真正面に位置することがなく、強引に携帯情報端末Ａを顔の真正面に位置させると、手首をかなり捻るので、手首に過度の負担がかかり、携帯情報端末Ａの操作が困難になる。  差込部材２１及び差込部材６１は、手を斜めに差し込むので、肘から肩までの上腕部（脇）を体に密着させおくことができ、疲労感が少なく、また携帯情報端末用ケース１を動かすことなく安定して保持することができる。また、差込部材２１及び差込部材６１は、手首を真っ直ぐにした自然の状態で、携帯情報端末Ａを顔の真正面に位置させることができ、手首の負担が少なく、携帯情報端末Ａの操作が容易となる。
【産業上の利用可能性】
【００４０】
本願発明は、携帯情報端末を安定して保持することができる携帯情報端末用ケースに利用可能である。
【符号の説明】
【００４１】
Ａ  携帯情報端末
Ｂ  液晶表示画面
１  携帯情報端末用ケース
２  折曲部
３  収納板
３ａ  内側面
４  収納部
５  矩形枠
６  上板
７  下板
８  左板
９  右開放部
１０  被覆板
１０ａ  内側面
１０ｂ  下部
１０ｃ  左辺（長辺）
１０ｄ  右辺（長辺）
１０ｅ  下辺（短辺）
１０ｆ  上辺（短辺）
１０ｇ  角部
１０ｈ  角部
１１  立設板
１１ａ  表面
１１ｂ  裏面
１１ｃ  一端部（上部）
１１ｄ  他端部（下部）
１２  保持板（保持部材）
１２ａ  表面
１２ｂ  他端部（下部）
１３  係脱部材
１３ａ  一方
１３ｂ  他方
１３ｃ  他方
１５  左辺（長辺）
１６  右辺（長辺）
１７  下辺（短辺）
１７ａ  下角部
１７ｂ  下角部
１８  上辺（短辺）
２１  差込部材
２２  矩形部
２３  Ｖ字状部
２５  差込布体
２６  傾斜縁
２７  傾斜縁
２８  頂部
２９  ゴム部材
３１  スライドファスナー（固定手段）
４１  携帯情報端末用ケース
４２  収納板
４３  係止縁
４５  係止縁
４６  表面（収納面）
４７  収納部
４８  裏面（反対面）
５１  左辺（長辺）
５２  右辺（長辺）
５５  下辺（短辺）
５５ａ  下角部
５５ｂ  下角部
５６  上辺（短辺）
５６ａ  上角部
５６ｂ  上角部
６１  差込部材
６２  傾斜縁
６３  傾斜縁
６４  傾斜縁
６５  傾斜縁
６６  頂部
６７  頂部
６８  頂部
６９  頂部
７１  携帯情報端末用ケース
７２  差込部材
【図１】
0005468696.tif 000002
【図２】
0005468696.tif 000003
【図３】
0005468696.tif 000004
【図４】
0005468696.tif 000005
【図５】
0005468696.tif 000006
【図６】
0005468696.tif 000007
【図７】
0005468696.tif 000008
【図８】
0005468696.tif 000009
【図９】
0005468696.tif 000010
【図１０】
0005468696.tif 000011
【図１１】
0005468696.tif 000012
【図１２】
0005468696.tif 000013
【図１３】
0005468696.tif 000014
【図１４】
0005468696.tif 000015
【図１５】
0005468696.tif 000016
【図１６】
0005468696.tif 000017
【図１７】
0005468696.tif 000018
【図１８】
0005468696.tif 000019